(57)【要約】      （修正有）【課題】空気吹出口装置における風向および風圧制御するとともに、バッフルプレートの結露問題を解消しつつ作業性及び経済性に問題点なく装備可能なコールドドラフト防止用バッフルプレート装置を提供する。【解決手段】ダクト２０を介して、天井２１開口部に設けた空気噴出部２２ａより、空調対象空間に所要の空気を噴出する空気吹出口装置２２において、空気噴出部の前面に設置するバッフルプレート１と、バッフルプレートを、空気噴出部の前面に吊り下げる複数の吊り下げ金具２と、バッフルプレートの落下防止用金具３とにより構成し、バッフルプレートには、各吊り下げ金具との連結用フック部５と落下防止用金具との連結用フック部を設け、各吊り下げ金具には、空気噴出部のスリットに掛け止める上部フック部２００とバッフルプレートの連結用フック部に連結する下部フック部２０１を設け、落下防止用金具にも同様の上部フック部と下部フック部を設ける。【選択図】図１
0003190425.tif 000002
【実用新案登録請求の範囲】
【請求項１】
ダクトを介して、天井開口部に設けた空気噴出部より、空調対象空間に所要の空気を噴出する空気吹出口装置において、前記空気吹出口装置の空気噴出部の前面に設置するバッフルプレートと、当該バッフルプレートを、前記空気噴出部の前面に吊り下げる複数の吊り下げ金具と、前記空気噴出部の前面に吊り下げるバッフルプレートの落下防止用金具とにより構成するとともに、前記バッフルプレートには、前記各吊り下げ金具との連結用フック部を設けるとともに前記落下防止用金具との連結用フック部を設け、前記各吊り下げ金具には、前記空気噴出部のスリットに掛け止める上部フック部を設けるとともに、前記バッフルプレートの連結用フック部に連結する下部フック部を設け、前記落下防止用金具には、前記空気噴出部のスリットに掛け止める上部フック部を設けるとともに前記バッフルプレートの連結用フック部に連結する下部フック部を設けることにより構成したことを特徴とするコールドドラフト防止用バッフルプレート装置。
【請求項２】
前記バッフルプレートは、前記空気吹出口装置の空気噴出部の開口型の外径寸法と少なくとも同寸法の外型の形状に形成して構成したことを特徴とする請求項１記載のコールドドラフト防止用バッフルプレート装置。
【請求項３】
前記吊下げ金具は、前記空気噴出部のスリットに装入可能なＵ字状のフック部本体とスリットとのフック片に案内片を設けた、スリットに掛け止める上部フック部を設けるとともに前記バッフルプレートの連結用フック部とのフック片を備えるＵ字状のフック部本体から成るバッフルプレートのフック部に連結する下部フック部を設け、細径棒状金属部材にて一体形成したことを特徴とする請求項１記載のコールドドラフト防止用バッフルプレート装置。
【請求項４】
前記落下防止用金具は、前記空気噴出部のスリットに装入可能なＵ字状のフック部本体と、スリットとのフック片に案内片を設けたスリットに掛け止める上部フック部を設けるとともに前記バッフルプレートの連結用フック部との環状片を備えるフック部本体から成るバッフルプレートのフック部に連結する下部フック部を設け、細径棒状金属部材にて一体形成したことを特徴とする請求項１記載のコールドドラフト防止用バッフルプレート装置。
【請求項５】
前記落下防止用金具は、前記吊り下げ金具を兼用することができるように構成したことを特徴とする前記請求項１または４記載のコールドドラフト防止用バッフルプレート装置。
【請求項６】
前記バッフルプレートは、前記落下防止用金具を、予め、前記連結用フック部に、落下防止用金具の下部フック部を連結した状態にて構成したことを特徴とする請求項１記載のコールドドラフト防止用バッフルプレート装置。
【請求項７】
前記バッフルプレートは、前記空気吹出装置の空気噴出部から噴出される空気側の面に空気流緩衝用および結露防止用の発泡性樹脂シートを張設することにより構成したことを特徴とする請求項１，２または６記載のコールドドラフト防止用バッフルプレート装置。
【考案の詳細な説明】
【技術分野】
【０００１】
本考案は、空調対象空間に所要の空気を噴出する空気吹出口装置における空気流の風向、風圧の制御およびバッフルプレートの結露防止を目的とするコールドドラフト防止用バッフルプレート装置に関するものである。
【背景技術】
【０００２】
従来、空調対象空間への空気を吹き出す空気吹出口装置は、一般的に、図６に示す如く主送風装置（図示せず）より、所要の熱交換器等の温度調整手段を介して温度調整した空気を、ダクト２０を介して、例えば、天井２１に設けた空気吹出口装置２２より噴出することにより空調対象空間としての室内２３に噴出することができるように構成されている。
【０００３】
そして、前記一般的な空気吹出口装置２２は、室内２３に対して、空気吹出口装置２２に設けられた複数のスリット２４を通して、室内２３に噴出されるが、これに換えて、例えば、温度調整手段にて温度調整された空気を主流空気として車室内の乗員の上半身へ向けて吹き出すフェイス吹出口と、このフエイス吹出口から吹き出される主流空気よりも高速、かつ低風量の空気流を、主流空気の流れに沿って噴出する空気噴出部を備える空気吹出装置により、空調対象空間へ吹き出す空気の風量を確保しつつ、送風手段における消費エネルギの抑制可能な空気吹出装置を提供する発明が提案されている。（特許文献１）。
【０００４】
又、ダクトに設けたチャンバに、筒状の筒部と、当該筒部の中心軸に沿って延びる軸部と、当該軸部の先端側に設けられたコーンと、前記軸部を進退動させる進退装置とを備え、基端側に供給された空気を先端側から吹き出し可能な吹出口装置において、前記進退装置を駆動することにより、前記コーンを筒部の先端開口に嵌合させることによって筒部の基端側に供給された空気を筒部の先端側開口から吹きださないようにし、逆にコーンを筒部の内部に位置させ、コーンと筒部の内面との隙間を通って筒部の先端側に向かって流れるようにし、筒部は筒状であるため、筒部の軸方向に沿って指向性をもって吹き出される。
【０００５】
さらに、コーンを筒部の先端側開口の外側に位置させることにより、筒部の基端側に供給させることにより、筒部の基端側に供給された空気を筒部の先端側に流れるようにし、筒部の先端側に流れた空気を、コーンに当たって、拡散して吹き出されるようにする。
【０００６】
すなわち、当該吹出装置は、進退装置により軸部を進退させることで、吹出し気流の特性を軸流からふく流までの広い範囲で自在に調整でき、例えば、居住者の遠隔操作により進退装置を駆動することにより、居住者の好みに応じて吹出し気流の特性を調整し、快適な空調状態を容易に実現することができるように提案されたものである（特許文献２）
【０００７】
そして、前記吹出口装置に加えて、アンビエント空調とパーソナル空調を実行可能で、パーソナル空調用の空調空気の風量を変更しても空調空気の総風量が変動し難く、居室内の空調負荷に応じた風量を安定供給可能で、居室内を快適な空間状態に保つことができる吹出口装置の提供を目的として、空調機器から供給される空調空気を吹き出し可能な吹出口装置であって、前記吹出口装置は、アンビエント吹出部及びパーソナル吹出部を備え、前記パーソナル吹出部から吹き出す空調空気の風向、風量を変更する気流調整手段と、前記パーソナル吹出部からの風量を前記気流調整手段で増減させると前記アンビエント吹出部からの風量が相対的に増減する連係手段とを設けることにより構成した吹出口装置が提案されている（特許文献３）。
【０００８】
又、これら風量、風向調整を目的とする吹出口装置に加えて、気体を流通した場合でも結露が生じ難い吹き出し口を目的として、内側の壁を構成する樹脂製の第１管状体と、当該第１管状体の外側に被せられた樹脂製の第２管状体とを有して構成し、流体が第１管状体の一方の端部の口から第１管状体の内側に流入し、第１管状体の他方の端部の口から外部に流出するように構成した吹き出し口が提案されている（特許文献４）
【０００９】
さらに、前記結露防止を目的とする吹き出し口に加えて、空調空気の指向制御板の表面に結露が生ずるのを防止する目的により、エアーコンディショナーの室内機から吹き出された空気の流れ方向を制御する指向制御板を室内機の空気吹出口の前方から吹き出される空気を受けるウイングプレートとこのウイングプレートを天井面に取り付けるためのアームとから構成するとともに当該アームは、その幅方向に弾性によって伸縮することが可能であり、作業者が指でアームを押えてその幅を狭め、その状態でアームをグリルの隙間に挿入後、押えていた指を離して弾力を解放すると、アームが元に戻るので、グリルの狭い隙間であってもアームの差し込み及び取付けができる指向制御板の取付部が提案されている（特許文献５）
【先行技術文献】
【特許文献】
【００１０】
【特許文献１】特開２０１３−２２１６８５９号公報
【特許文献２】特開２０１３−１１７３４０号公報
【特許文献３】特開２０１３−２９２３８号公報
【特許文献４】特開２０１２−１９７９７７号公報
【特許文献５】特開２０１２−２２０１８７号公報
【考案の概要】
【考案が解決しようとする課題】
【００１１】
前記した図６の空気吹出口装置２２における空調空気の風量、風向制御の特許文献１〜３における空気吹出口装置にあっては、これを既存の空気吹出口装置２２に直接装備することが不可能であり、作業性かつ経済性に不向きである問題点を有するとともに空調空気による結露防止を回避する手段が全く考慮されていない問題点を有するものである。
【００１２】
又、特許文献４にあっては、結露防止手段が配慮されているが風向制御についての配慮がなく、図６の従来の空気吹出口装置２２に、作業性の問題なく、簡易、迅速な装備による取り付けが出来ない問題点を有する。
【００１３】
従って、特許文献５においては、空調空気の指向制御と結露の両者の問題点を解決するとともに、従来の空気吹出口装置への装備の作業性の問題点を解消することができる点に有用性を有する。
【００１４】
しかるに、当該特許文献５にあっては、その構成において指向制御板の取付部の構成が、例えば、室内機の空気吹出口の前方に取り付けるための取付部及びこの取付部は、基台とこの基台に対して回転自在なアームと、前記基台にアームを取り付けるためのアーム取付具とを有し、前記基台は、前記アームの回動を抑止する回動抑止部とを有し、前記アームは、その基部に前記回動抑止部と噛合する内歯車部が形成される等の、これを実施する上に特有の構成を要求されるもので、構成自体の経済性に問題点を有するものである。
【００１５】
因って、本考案はこれらの特許文献１〜５における諸問題点を解消し、従来既存の空気吹出口装置における風向および風圧の制御をバッフルプレートにおける結露問題を解消しつつ作業性及び経済性に問題点なく装備可能なコールドドラフト防止用バッフルプレート装置を提供せんとするものである。
【課題を解決するための手段】
【００１６】
前記目的を達成するため、本考案の請求項１記載の考案は、ダクトを介して、天井開口部に設けた空気噴出部より、空調対象空間に所要の空気を噴出する空気吹出口装置において、前記空気吹出口装置の空気噴出部の前面に設置するバッフルプレートと、当該バッフルプレートを、前記空気噴出部の前面に吊り下げる複数の吊り下げ金具と、前記空気噴出部の前面に吊り下げるバッフルプレートの落下防止用金具とにより構成するとともに、前記バッフルプレートには、前記各吊り下げ金具との連結用フック部を設けるとともに前記落下防止用金具との連結用フック部を設け、前記各吊り下げ金具には、前記空気噴出部のスリットに掛け止める上部フック部を設けるとともに、前記バッフルプレートの連結用フック部に連結する下部フック部を設け、前記落下防止用金具には、前記空気噴出部のスリットに掛け止める上部フック部を設けるとともに前記バッフルプレートの連結用フック部に連結する下部フック部を設けることにより構成したことを特徴とする。
【００１７】
又、請求項２の考案は、前記請求項１の考案におけるバッフルプレートを、前記空気吹出口装置の空気噴出部の開口型の外径寸法と少なくとも同寸法の外型の形状に形成して構成したことを特徴とする。
【００１８】
そして、請求項３の考案は、前記請求項１の考案における吊り下げ金具を、前記空気噴出部のスリットに装入可能なＵ字状のフック部本体とスリットとのフック片に案内片を設けた、スリットに掛け止める上部フック部を設けるとともに前記バッフルプレートの連結用フック部とのフック片を備えるＵ字状のフック部本体から成るバッフルプレートのフック部に連結する下部フック部を設け、細径棒状金属部材にて一体形成したことを特徴とする。
【００１９】
請求項４の考案は、前記請求項１の考案における落下防止金具を、前記空気噴出部のスリットに装入可能なＵ字状のフック部本体と、スリットとのフック片に案内片を設けたスリットに掛け止める上部フック部を設けるとともに前記バッフルプレートの連結用フック部との環状片を備えるフック部本体から成るバッフルプレートのフック部に連結する下部フック部を設け、細径棒状金属部材にて一体形成したことを特徴とする。
【００２０】
さらに、請求項５の考案は、前記請求項１または請求項４の考案における落下防止用金具を、前記吊り下げ金具を兼用することができるように構成したことを特徴とする。
【００２１】
そして、請求項６の考案は、前記請求項１の考案におけるバッフルプレートを、前記落下防止用金具を、予め、前記連結用フック部に、落下防止用金具の下部フック部を連結した状態にて構成したことを特徴とする。
【００２２】
又、請求項７の考案は前記請求項１，２または６記載のバッフルプレートを前記空気吹出装置の空気噴出部から噴出される空気側の面に空気流緩衝用および結露防止用の発泡性樹脂シートを張設することにより構成したことを特徴とする
【考案の効果】
【００２３】
本考案の請求項１によれば、従来の空気吹出口装置への装備を、簡易、迅速な作業により、経済的にも安価に実施することができるとともに複数の吊り下げ金具に加えて落下防止用金具によって、バッフルプレートの落下による危険を防止しつつ安全性を確保でき、かつバッフルプレートにより空気吹出口装置からの直接の吹き出し空気の風向を、空気吹出口開口部の軸線方向に対して周方向に制御することができるとともに空調対象空間への空気流の風圧を制御することができ、さらには空気吹出口装置の開口部自体におけるスリット部の結露を間接的に防止することができる。
【００２４】
特に、バッフルプレートは、複数の吊り下げ金具と落下防止金具により作業性にも簡易、迅速性を以て既存の空気吹出口装置に装備することに加えて、装備に要求される吊り下げ金具及び落下防止金具は、細径棒状金属部材にて、安価に量産できるので経済性に富む効果を有するものである。
【００２５】
さらに、吊り下げ金具と落下防止金具は、兼用実施が可能であるとともに装備に先だって、落下防止用金具は、予めバッフルプレートに連結装備しておくことにより、より作業性を向上することができるものである。
【００２６】
しかも、装備の簡易、迅速な作業性は、本考案のコールドドラフト防止用バッフルプレート装置の既存の空気吹出口装置に対する着脱装備の実施をも可能とする作用、効果を発揮することが可能である。
【図面の簡単な説明】
【００２７】
【図１】本考案の実施例１を示すコールドドラフト防止用バッフルプレート装置の縦断正面図
【図２】同縦断側面図
【図３】同底面図
【図４】ａ〜ｃは、本考案の実施例１における作業工程の説明図
【図５】吊り下げ金具及び落下防止用金具の側面図
【図６】従来の空気吹出口装置の縦断側面図
【考案を実施するための形態】
【００２８】
本考案のコールドドラフト防止用バッフルプレート装置は、ダクトを介して天井開口部に設けた空気噴出部により、空調対象空間へ所要空気を噴出する空気吹出口装置において、前記空気噴出部のスリットに所要ケ所毎に吊り下げ金具を、スリットの隙間より挿入しつつ各吊り下げ金具の上部フック部を掛け止めるとともに前記空気噴出部のスリットに掛け止めた各吊り下げ金具の中心部に位置せしめて予めバッフルプレート本体の中心部に下部連結部を装着固定した落下防止用金具をスリットの隙間より装入しつつ、当該落下防止用金具の上部フック部を、前記スリットに掛け止めた各吊り下げ金具の中心部に位置するスリットに掛け止めた後、前記各吊り下げ金具の下部フック部を、前記落下防止用金具にて、前記空気噴出部のスリットに吊り下げセットしたバッフルプレートに設けた各吊り下げ金具との掛け止め金具部のフック部に掛け止めることにより、前記空気噴出部の前面に前記バッフルプレートを吊り下げつつ装備するものである。
【実施例１】
【００２９】
以下本考案コールドドラフト防止用バッフルプレート装置の実施例１を図１〜５により説明する。
【００３０】
図１〜３は、本考案の実施例１を示すもので、図１は、本考案コールドドラフト防止用バッフルプレート装置の縦断正面図、図２は同縦断側面図、図３は同底面図である。
【００３１】
そして、当該実施例１は、図６に示した、従来既存の空気吹出口装置２２に本考案のコールドドラフト防止用バッフルプレート装置を装備する実施例について説明するものである。
【００３２】
図１〜３において、１は、バッフルプレートで、このバッフルプレート１は、図６にて示される空気吹出口装置２２において、その空気噴出部２２ａにもうけられたスリット２４に掛け止められる複数の吊り下げ金具２および落下防止用金具３により、空気吹出口装置２２の空気噴出部２２ａの前面に所要の間隔ｌを置いて吊下げ支持されつつ装備されている。
【００３３】
そして、前記バッフルプレート１は、前記空気吹出口装置２２の空気噴出部２２ａの開口型に対して、その外径寸法より若干大型の外径寸法から成る外径にて形成されている。
【００３４】
すなわち、空気吹出口装置２２の空気噴出部２２ａより室内２３に吹き出される空気流を、当該バッフルプレート１により、直接室内２３に吹き出すことなく、バッフルプレート１の外径の周囲より吹き出すことができるように構成することができる。
【００３５】
従って、図３に示すように、図示のバッフルプレート１は、空気吹出口装置２２の空気噴出部２２ａの方形の外径より周囲が若干大径の方形から成る形状にて形成され、ダクト２０より空気吹出口装置２２を介する空気流は、バッフルプレート１の外径の周囲より室内２３に吹き出される。
【００３６】
その結果  当該バッフルプレート１により、空調対象空間としての室内２３に対する空気の噴出は、居住者に直接噴出することなく、その風向きおよび風圧が制御され、室内２３に居る人に対する不快感を緩和することができ、快適な空調作用、効果を達成することができる。
【００３７】
尚、バッフルプレート１の空気吹出口装置２２の空気噴出部２２ａに対する外形寸法と、その形状については、少なくとも同径の外形寸法により形成することが好適であるが、必要に応じて、同径ではなく、外径寸法を若干小径にした形状によりバッフルプレート１の外周より直接の空気流の噴出を促しつつ実施する実施例や、場合によっては、空気吹出口装置２２の空気噴出部２２ａの方形あるいは長方形の形状に対して、多角形あるいは円形等の適宜の形状のバッフルプレート１による実施についても勿論可能である。
【００３８】
すなわち、バッフルプレート１の本来の作用効果の発揮に加えて、室内２３に対するデザイン的な作用効果を踏まえての適宜形状による実施も可能である。
【００３９】
又、前記バッフルプレート１は、亜鉛メッキ鋼板等の金属製板材にて形成するとともに前記空気噴出部２２ａからの空気側の内側表面にポリエチレンフォーム等の発砲性樹脂シート部材４を張設することにより構成し、空気流の緩衝作用および結露防止作用を助長することができるように構成してある。
【００４０】
さて、当該バッフルプレート１を、空気吹出口装置２２の空気噴出部２２ａの前面に吊り下げつつ支持する吊り下げ金具２は、バッフルプレート１の４隅みに設けた、吊り下げ金具２との連結用フック部５に対する４本の吊り下げ金具２にて支持するものである。
【００４１】
しかし、かかる吊り下げ金具２の数についても、必要に応じて、増減しつつ実施することができる。同様にして、図示の実施例においては、バッフルプレート１の中心部に落下防止用金具３との連結用フック部６を設け、１本の落下防止用金具３による吊下げ支持の実施例を示したが、必要に応じて複数箇所の落下防止用金具３による増加しつつ実施する実施も可能である。
【００４２】
そして、前記吊り下げ金具２は、図５に示す如く、吊り下げ金具２の金具本体２ａの上部に、Ｕ字状のフック部本体２ｂを設けるとともにこのフック部本体２ｂに空気噴出部２２ａに備えるスリット２４とのフック片２ｃを設け、かつこのフック片２ｃには、スリット２４の装入を容易にする案内片２ｄを設けることにより、スリット２４に掛け止める上部フック部２００を形成し、この吊り下げ金具２の金具本体２ａの下部に、バッフルプレート１の連結用フック部５とのフック片２ｅを備えるＵ字状のフック部本体２ｆを設けることにより、バッフルプレート１のフック部５に連結する下部フック部２０１を形成し、ステンレス鋼棒等の細径棒状金属部材にて一体形成することにより構成したものである。
【００４３】
又、前記落下防止用金具３は、前記図５の吊り下げ金具２を、兼用することが可能であって、図５において、吊り下げ金具２の金具本体２ａが落下防止金具３の金具本体３ａ、スリット２４に掛け止める上部フック部２００が上部フック部３００となり、当該上部フック部３００は、金具本体３ａの上部にＵ字状のフック部本体３ｂ、スリット２４とのフック片３ｃと案内片３ｄを設けて成るとともに金具本体３ａの下部に設ける下部フック部３０１は、吊り下げ金具２の下部フック部２００のフック片２ｅを、図５点線で示す如く折曲げすることにより環状のフック部本体３ｆを形成することにより、バッフルプレート１の連結用フック部６との下部フック部３０１を設け、前記吊り下げ金具２をそのまま兼用することにより実施する実施例を示すものである。
【００４４】
従って、図５の吊り下げ金具２を兼用することなく、別体の構成から成る落下防止用金具３による実施も勿論可能である。
【００４５】
さらに、落下防止用金具３の下部フック部３０１については、環状のフック部本体３ｆに対して、落下防止用ワイヤ７を使用して、バッフルフレート１の連結用フック部６と連結した実施例を、図１〜３に図示したが、この落下防止用ワイヤ７を使用することによる作業性、すなわち、後述する落下防止用金具３をスリット２４に掛け止める作業と、落下防止用金具３とバッフルプレート１の連結用フック部６との連結作業を容易に実施する作業性を考慮せずに、例えば、前記落下防止用金具３の下部フック部３０１の環状のフック部本体３ｆをバッフルプレート１の連結用フック部６に直接連結することにより実施することも可能である。
【００４６】
図１，２の図示のバッフルプレート１の連結用フック部６は、落下防止用ワイヤ７との連結用フック用孔６ａを備えるフック片６ｂを設けた固定用ボルト体にて形成したものである。
また、バッフルプレート１の連結用フック部５は、吊り下げ金具２のフック部２０１のフック片２ｅを掛け止める凹状フック部５ａを設けることにより形成した金属金具により構成したものである。
【００４７】
以下には、図１〜３の構成から成る本考案コールドドラフト防止用バッフルプレート装置の空気噴出口装置２２に対する装着作業手順について、図４とともに説明する。
【００４８】
まず、図４（ａ）に示す如く、空気吹出口装置２２の空気噴出部２２ａに設けられるスリット２４に対して、吊り下げ金具２のセット作業をする。
図示（図１、２、図４（ａ））の空気噴出部２２ａには、互いに縦横交差状に渡架される上下２段のスリット２４ａ，２４ｂを備える構成のもので、バッフルプレート１の４隅の連結用フック部５に対応する４ヶ所に位置せしめて、各吊り下げ金具２の上部フック部２００を各スリット２４ａ，２４ｂの隙間に装入するとともに当該上部フック部２００の案内片２ｄを介して、案内しつつフック部本体２ｂのフック片２ｃを上段のスリット２４ａに張掛けて、４本の吊り下げ金具２を、それぞれ、空気噴出部２２ａの４ヶ所に吊り下げセットする。
【００４９】
この時、各吊り下げ金具２の下部フック部２０１は、それぞれのフック片２ｅを外側に向けて吊り下げセットする。
しかる後、図４（ｂ）に示す如く、前記セット作業にて、空気噴出部２２ａの４隅に位置せしめて各吊り下げ金具２が吊り下げセットされる空気噴出部２２ａの中心部に位置せしめて、落下防止用金具３の上部フック部３００を前記吊り下げ金具２の場合と同様に、スリット２４ｂの隙間中に装入するとともに案内片３ｂを介して案内しつつフック部本体３ｄのフック片３ｃを下段中心部のスリット２４ｂの中心に位置せしめて引掛けることにより、吊り下げセットする。
【００５０】
そして、前記落下防止用金具３は、前記図５図示の吊り下げ金具２を兼用する実施の場合で、前記セット作業に先立って、吊り下げ金具２の下部フック部２０１のフック片２ｅをフック部本体側に、図５の点線で示すように折曲して、フック片２ｃ端を溶着することにより、環状のフック部本体３ｆを形成し、下部フック部３０１を設けたものである。
【００５１】
さらに、前記落下防止用金具３の下部フック部３０１のフック部本体３ｆには、落下防止用ワイヤ７を使用して、バッフルプレート１の連結用フック部６と連結する。
【００５２】
尚、落下防止用金具３の上下フック部３００，３０１とのセット作業は、予め下部フック部３０１をバッフルプレート１の連結用フック部６と連結した状態の落下防止用金具３の上部フック部３００のスリット２４ｂへの引掛けセット作業により実施する場合と、前記上部フック部３００のスリット２４ｂとの吊り下げセット作業後に落下防止用ワイヤ７を介する下部フック部３０１のバッフルプレート１の連結用フック部６との連結セット作業を行う実施例のいずれの作業にても実施可能である。
【００５３】
前記図４（ｂ）の落下防止用金具３の上部フック部３００のスリット２４ｂとの吊り下げセット作業と下部フック部３０１によるバッフルプレート１の吊り下げセット作業の終了後、図４（ｃ）に示す如く、既に、空気噴出部２２ａのスリット２４ａに吊り下げセットされる各吊り下げ金具２の下部フック部２０１のフック片２ｅをバッフルプレート１の連結用フック部５の凹状フック部５ａに掛け止めることによりバッフルプレート１の空気吹出口部２２の前面への吊り下げ作業を完了することができる。
【符号の説明】
【００５４】
１      バッフルプレート
２      吊り下げ金具
２ａ    金具本体
２ｂ、２ｆ  フック部本体
２ｃ，２ｅ  フック片
２ｄ    案内片
３      落下防止用金具
３ａ    金具本体
３ｂ    フック部本体
３ｃ    フック片
３ｄ    案内片
３ｆ    フック部本体
４      発泡性樹脂シート
５，６  連結用フック部
５ａ    凹状フック部
６ａ    フック用孔
６ｂ    フック片
７      落下防止用ワイヤ
２０    ダクト
２１    天井
２２    空気吹出口装置
２２ａ  空気噴出部
２３    室内
２４    スリット
２４ａ  上段のスリット
２４ｂ  下段のスリット
２００，３００  上部フック部
２０１，３０１  下部フック部
【図１】
0003190425.tif 000003
【図２】
0003190425.tif 000004
【図３】
0003190425.tif 000005
【図４】
0003190425.tif 000006
【図５】
0003190425.tif 000007
【図６】
0003190425.tif 000008